(57)【要約】【課題】ゴルブバッグを直立させた状態で、移動させることができるゴルフバック用キャリーを提供する。【解決手段】円盤状の基台１１の下面にキャスター１３ａ〜ｃを取り付け、基台１１の周端には複数の接続片１２ａ〜ｃを立設し、接続片１２ａ〜ｃの内側に、ゴルフバッグ底部２３を収容する。接続片１２ａ〜ｃの外側に巻きかけられたベルト１４を締めこむことによって、接続片１２ａ〜ｃを底部２３の側面に押し当てる構成とし、基台１１を底部２３に取付固定する。【選択図】図２
2020080907.tif 000002
【特許請求の範囲】
【請求項１】
ゴルフバッグの底面に装着される基台と、
該基台の下面に装着され、接地ローラと、該接地ローラを回動自在に支持するとともに、前記基台に回動自在に支持された回動脚部材とを有する複数のキャスターと、
基台の上面側に設けられ、ゴルフバッグの底部と前記基台との間に介在し、基台ゴルフバッグ底部に固定するための固定手段とを有するゴルフバッグ用キャリー。
【請求項２】
前記固定手段は、基端が基台に固定され、先端部がゴルフバッグ底部の外周に位置する複数の接続片と、該接続片の外側に巻き付けられる締着帯体とを有する請求項１に記載のゴルフバッグ用キャリー。
【請求項３】
前記接続片は、内側および外側方向に変形可能に構成されている請求項２に記載のゴルフバッグ用キャリー。
【請求項４】
前記固定手段は、基台の周端部に立設され筒状部の周方向に等間隔で設けられた複数のネジ孔と、該ネジ孔に外側から螺合し、先端が内側に突出する締着ネジとを有し、各ネジ孔に外側から螺合した締着ネジがゴルフバッグ底部の側面に当接する請求項１に記載のゴルフバッグ用キャリー。
【請求項５】
前記固定手段は、基台の周端部に立設された揺動軸と、
該揺動軸に揺動自在に支持された接触保持片と、
該各接触保持片の先端部近傍位置に立設されたネジ保持部と、
該各ネジ保持部の外側から螺合し、先端が接触保持片に当接する調整部材とを有する請求項１に記載のゴルフバック用キャリー。
【請求項６】
前記固定手段は、基台の下側面から上側面へ向けて貫通する固定ネジと、ゴルフバッグ底面に設けられた、前記固定ネジが螺号するネジ穴とを有する請求項１に記載のゴルフバッグ用キャリー。
【発明の詳細な説明】
【技術分野】
【０００１】
この発明は、ゴルフバック用キャリーに係り、詳しくはゴルフバッグの底部に着脱自在に取り付けられるゴルフバック用キャリーに関するものである。
【背景技術】
【０００２】
ゴルフクラブを収容するゴルフバッグは、ゴルフ場内の移動、ゴルフ場への移動の際に利用されている。また、収容するゴルフクラブの総重量が重いため、移動する際には、バッグを肩から下げるためのショルダーベルトが取り付けられている。
一方、ゴルフバッグ使用者の負担の軽減のために、特許文献１に記載されているように、ゴルフバッグの底部に取り付けられるキャリアも提案されている。
【先行技術文献】
【特許文献】
【０００３】
【特許文献１】特開平１１−５７０９１
【発明の概要】
【発明が解決しようとする課題】
【０００４】
しかしながら、ショルダーベルトで肩から下げる方式では、体への負担が多く、長時間の移動には不向きである。また、特許文献１に記載の底部にキャリアを装着する方式では、ゴルフバッグを斜めに倒した状態とすることによって、車輪を地面に接地して移動させる構成となっている。近年では、このような車輪つき荷物ケースを斜めに倒して、引きながら移動する旅行者が増加しており、このような旅行者に対して他者の歩行の障害になる等の苦情が多く寄せられている。このため、ゴルフバッグのような大型荷物に対しては、さらに多くの支障が出ることが容易に予想される。加えて、ゴルフクラブの長尺化に伴い、これらを収容するゴルフバッグも大型化、重量化しているため、特許文献１に記載の発明のようにゴルフバッグを傾斜させた状態での移動について、問題が顕著になっている。
【０００５】
一方、２０１７年の日本生産性本部の「ゴルフレジャー白書」によれば、ゴルフ人口のうち６０才代以上は５２．８パーセントに上っており、今後もゴルフプレーヤの高齢化が避けられない状況であるということである。このような状況では、ゴルバッグの大型化、重量化は、高齢者の負担を更に増すことになる。例えば、ゴルフバッグを家から車に運ぶ際や、ゴルフ場から車まで運ぶ際など、大型化したゴルフバッグは、高齢者にとって特に負担となる。また、ゴルフ場においても、スタッフやキャデイ等の高齢化が進んでおり、顧客から預かったゴルフバッグの扱いにも同様の問題が生じていた。
【０００６】
そのような場合、上記従来の方式によらず、ゴルフバッグを直立させた状態で移動させることができると負担が軽減されるのであるが、ゴルフバッグを直立させた状態を維持しつつ、バッグを移動させることができるキャリーは存在しなかった。
また、ゴルフバッグの底部は、大きさの異なるものや、外側に広がった接地部を有するものなど多種類の形状があり、どのような形状のゴルフバッグに対しても取付が可能で、かつ直立状態での移動が可能なキャリーは、従来存在しなかった。
【０００７】
この発明は、いずれのゴルフバッグにも装着が可能で、かつゴルブバッグを直立させた状態で、移動させることができるゴルフバック用キャリーを提供することを目的とする。
【課題を解決するための手段】
【０００８】
以上のような問題を解決する本発明は以下の構成を備える。
（１）ゴルフバッグの底面に装着される基台と、
該基台の下面に装着され、接地ローラと、該接地ローラを回動自在に支持するとともに、前記基台に回動自在に支持された回動脚部材とを有する複数のキャスターと、
基台の上面側に設けられ、ゴルフバッグの底部と前記基台との間に介在し、基台ゴルフバッグ底部に固定するための固定手段とを有するゴルフバッグ用キャリー。
【０００９】
（２）前記固定手段は、基端が基台に固定され、先端部がゴルフバッグ底部の外周に位置する複数の接続片と、該接続片の外側に巻き付けられる締着帯体とを有する上記（１）に記載のゴルフバッグ用キャリー。
【００１０】
（３）前記接続片は、内側および外側方向に変形可能に構成されている上記（２）に記載のゴルフバッグ用キャリー。
【００１１】
（４）前記固定手段は、基台の周端部に立設され筒状部の周方向に等間隔で設けられた複数のネジ孔と、該ネジ孔に外側から螺合し、先端が内側に突出する締着ネジとを有し、各ネジ孔に外側から螺合した締着ネジがゴルフバッグ底部の側面に当接する上記（１）に記載のゴルフバッグ用キャリー。
【００１２】
（５）前記固定手段は、基台の周端部に立設された揺動軸と、
該揺動軸に揺動自在に支持された接触保持片と、
該各接触保持片の先端部近傍位置に立設されたネジ保持部と、
該各ネジ保持部の外側から螺合し、先端が接触保持片に当接する調整部材とを有する上記（１）に記載のゴルフバック用キャリー。
【００１３】
（６）前記固定手段は、基台の下側面から上側面へ向けて貫通する固定ネジと、ゴルフバッグ底面に設けられた、前記固定ネジが螺号するネジ穴とを有する上記（１）に記載のゴルフバッグ用キャリー。
【発明の効果】
【００１４】
請求項１に記載の発明によれば、固定手段によって基台がゴルフバッグの底部に取り付けられ、基台の下側に位置するキャスターを接地させることによって、ゴルフバッグを直立した状態で、移動させることが容易となる。
【００１５】
請求項２に記載の発明によれば、接続片の内側に位置するゴルフバッグ底部を、締着帯体で締め付けることによって、ゴルフバック用キャリーを後付固定することができる。
【００１６】
請求項３に記載の発明によれば、接続片が変形可能であるため、ゴルフバック底部の外径に応じて変形し、該底部に接触できるので、異なる大きさのゴルフバック底部に、ゴルフバック用キャリーを装着できる。
【００１７】
請求項４に記載の発明によれば、外側から内側方向へ螺入される複数の締着ネジによってゴルフバッグ底部に固定できるので、締着ネジのねじ込み量を調整することにで、異なる大きさのゴルフバック底部に、ゴルフバック用キャリーを装着できる。
【００１８】
請求項５に記載の発明によれば、複数の接触保持片が、ゴルフバック底部の側面に面接触するので、側面に傷を付けることなく、ゴルフバック底部にゴルフバック用キャリーを装着できる。    
【００１９】
請求項６に記載の発明によれば、固定ネジで基台がゴルフバック底部の底面に固定されるので、ゴルフバック底部の大きさや形状に関わらず、ゴルフバック用キャリーを装着できる。
【図面の簡単な説明】
【００２０】
【図１】本発明のゴルフバッグ用キャリーを装着したゴルフバッグの全体斜視図である。
【図２】本発明の第１実施形態のゴルフバッグ用キャリーの全体斜視図である。
【図３】本発明の第１実施形態のゴルフバッグ用キャリーの下側からの全体斜視図である。
【図４】本発明の第１実施形態のゴルフバッグ用キャリーを装着したゴルフバッグの下部拡大全体斜視図である。
【図５】本発明の第１実施形態における接続片の断面拡大図である。
【図６】本発明の第１実施形態における、他の形状における接続片の断面拡大図である。
【図７】本発明の第２実施形態のゴルフバッグ用キャリーの全体斜視図である。
【図８】本発明の第３実施形態のゴルフバッグ用キャリーの全体斜視図である。
【図９】同じく平面図である。
【図１０】本発明の第４実施形態における、ゴルフバッグ用キャリーの下側からの全体斜視図である。
【発明を実施するための形態】
【００２１】
以下、本発明の第１の実施形態について、添付図面に基づいて詳説する。図１は、本発明のゴルフバック用キャリー１を装着したゴルフバック２の全体図である。ゴルフバック２は、筒状に形成された本体２１と、本体２の上端部に開口しゴルフクラブを挿入する開口部２２と、本体２の下端部設けられた底部２３と、本体２の下部前側に設けられた前袋２４と、本体２の背面側に設けられた背袋２５と、本体２の上端部から下端部にかけて架け渡されたショルダーベルト２６とを有している。底部２３は、ゴルフバッグを直立した状態で地面に置けるように、底面が平面となっている。底部２３の底面周端には、さらに若干外側に突出した拡張部２３１が周方向に等間隔で設けられ、より安定的に直立状態が維持できるように構成されている。底部２３の底面側から、本発明のゴルフバッグ用キャリー１が装着固定されている。
【００２２】
図２は、底部２３と本発明のゴルフバック用キャリー１の斜視図、図３は、同じく底面側からの斜視図である。ゴルフバック用キャリー１は、円板形状の基台１１と、基台１１上面の周端に立設された４つの接続片１２ａ、１２ｂ、１２ｃ、１２ｄと、基台１１下面の周端部に接続された４つのキャスター１３ａ、１３ｂ、１３ｃ、１３ｄとを有している。
【００２３】
基台１１は、ゴルフバック底部２３の底面形状に沿った円形状に形成され、底部２３の底面の外径よりも大きな外径で構成されている。基台１１の上面周端には、周方向に等間隔で４つの接続片１２ａ、１２ｂ、１２ｃ、１２ｄが立設されている。接続片１２ａ、１２ｂ、１２ｃ、１２ｄは、基台１１と一体形成されており、所定範囲で弾性変形可能な材料により構成されている。各接続片１２ａ、１２ｂ、１２ｃ、１２ｄの内側面には、底部２３の側面に接触した際に、接続片１２ａ、１２ｂ、１２ｃ、１２ｄによる保持を確実にするために、滑り止め部１２１ａ、１２１ｂ、１２１ｃ、１２１ｄが設けられている。滑り止め部には、ゴム等の軟質材料又は凹凸を設けた滑り止め面が設けられている。
【００２４】
各接続片１２ａ、１２ｂ、１２ｃ、１２ｄの基端部両側には、基台１１の周端から中心に向けて形成された切込み１１１ａ、１１１ａ、１１１ｂ、１１１ｂ、１１１ｃ、１１１ｃ、１１１ｄ、１１１ｄが形成されている。１１１ａ、１１１ａで挟まれた部分は、周端に立設された接続片１２ａとともに湾曲可能なる可撓部１１３ａ、１１１ｂ、１１１ｂで挟まれた部分は、周端に立設された接続片１２ｂとともに湾曲可能なる可撓部１１３ｂ、１１１ｃ、１１１ｃで挟まれた部分は、周端に立設された接続片１２ｃとともに湾曲可能なる可撓部１１３ｃ、１１１ｄ、１１１ｄで挟まれた部分は、周端に立設された接続片１２ｄとともに湾曲可能なる可撓部１１３ｄが、それぞれ形成されている。
【００２５】
可撓部１１３ａ、１１３ｂ、１１３ｃ、１１３ｄは、接続片１２ａ、１２ｂ、１２ｃ、１２ｄが外側に撓むと下側に撓み、内側に撓むと上側に撓む。可撓部１１３ａと接続片１２ａが、可撓部１１３ｂと接続片１２ｂが、可撓部１１３ｃと接続片１２ｃが、可撓部１１３ｄと接続片１２ｄが、それぞれ同時に撓むことで、接続片１２ａ、１２ｂ、１２ｃ、１２ｄの先端部の変位量を大きくすることができる。また、切込み１１１ａと切込み１１１ｄの間には平面部１１２ａが、切込み１１１ａと切込み１１１ｂの間には平面部１１２ｂが、切込み１１１ｂと切込み１１１ｃの間には平面部１１２ｃが、切込み１１１ｃと切込み１１１ｄの間には平面部１１２ｄが、それぞれ形成されている。各平面部１１２ａ、１１２ｂ、１１２ｃ、１１２ｄの下側面には、周端部近傍に、キャスター１３ａ、１３ｂ、１３ｃ、１３ｄがそれぞれ下方へ向けて設けられている。
【００２６】
各キャスター１３ａ、１３ｂ、１３ｃ、１３ｄは、それぞれ基台１１下側面に対して直角下方に伸びる回動軸を中心にして回動する回動脚部材１３１ａ、１３１ｂ、１３１ｃ、１３１ｄと、各回動脚部材１３１ａ、１３１ｂ、１３１ｃ、１３１ｄの先端部に回動自在に支持された接地ローラ１３２ａ、１３２ｂ、１３２ｃ、１３２ｄとを備えている。各回動脚部材１３１ａ、１３１ｂ、１３１ｃ、１３１ｄは、先端部が屈曲し、その先端に接地ローラ１３２ａ、１３２ｂ、１３２ｃ、１３２ｄが回動自在に支持されている。
【００２７】
各接地ローラ１３２ａ、１３２ｂ、１３２ｃ、１３２ｄを接地させ、基台１１を移動させると、各回動脚部材１３１ａ、１３１ｂ、１３１ｃ、１３１ｄが、それぞれ移動方向に対して逆の方向に向くように、基台１１の移動に応じて回動する。各回動脚部材１３１ａ、１３１ｂ、１３１ｃ、１３１ｄが、基台１１の中心に対して放射方向に振れた位置（各接地ローラ１３２ａ、１３２ｂ、１３２ｃ、１３２ｄが最も外側にある位置）では、各接地ローラ１３２ａ、１３２ｂ、１３２ｃ、１３２ｄの接地点は、基台１１の外周端よりも外側に位置するように構成されている。また、各回動脚部材１３１ａ、１３１ｂ、１３１ｃ、１３１ｄには、接地ローラを回動させないロック機構が設けられ、ロック機構を規制／解除するロックスイッチが１３３ａ、１３３ｂ、１３３ｃ、１３３ｄ（１３３ｃ、１３３ｄは図示外）が設けられている。ロック機構は、少なくとも２つ以上のキャスターに設けられていればよい。
【００２８】
各回動脚部材１３１ａ、１３１ｂ、１３１ｃ、１３１ｄの回動軸は、相互に平行に設定されており、基台１１の下面に対して直角に設定されている。後述するように、接続片１２ａ、１２ｂ、１２ｃ、１２ｄの締め付けによって、可撓部１１３ａ、１１３ｂ、１１３ｃ、１１３ｄが撓んだ場合、切込み１１１ａ、１１１ａ、１１１ｂ、１１１ｂ、１１１ｃ、１１１ｃ、１１１ｄ、１１１ｄによって、可撓部１１３ａ、１１３ｂ、１１３ｃ、１１３ｄの変形が平面部１１２ａ、１１２ｂ、１１２ｃ、１１２ｄに伝わらないので、回動脚部材１３１ａ、１３１ｂ、１３１ｃ、１３１ｄの回動軸の向きが狂わない。
【００２９】
各接続片１２ａ、１２ｂ、１２ｃ、１２ｄの外側面には、締着帯体であるベルト１４を挿入する挿入部１２２ａ、１２２ｂ、１２２ｃ、１２２ｄが設けられている。ベルト１４の基端には、締着具であるバックル１４１が取り付けられている。図４に示されているように、バックル１４１は、矩形のリング形状であり、２つの挿入孔１４１ａ、１４１ｃを有し、挿入孔１４１ａ、１４１ｃの間には、棒状の折返部１４１ｂが架設されている。バックル１４１の裏側から、挿通孔１４１ａにベルト１４の先端を挿入し、折返部１４１ｂで折り返して、挿通孔１４１ｃからベルト１４の先端を、バックル１４１の裏側へ引き出す。この実施形態では、固定手段は、接続片１２ａ、１２ｂ、１２ｃ、１２ｄとベルト１４で構成される。
【００３０】
図５は、接続片の断面図である。図５（Ａ）に示されている状態は、ベルト１４で構成された輪が緩んでいる状態であり、接続片は変形前の状態となっている。そいて、ベルト１４の先端を、バックル１４１から引き出すことにより、ベルト１４で構成される輪の径を縮め、内側の接続片１２ａ、１２ｂ、１２ｃ、１２ｄをゴルフバッグ底部２３の側面に押し付けることができる。図５（Ｂ）に示されているように、接続片１２ａ、１２ｂ、１２ｃ、１２ｄは、変形可能であるので、拡張部２３１の上部に被さるように、底部２３の側面に密着することが可能となる。
【００３１】
なお、図６の想像線によって示されているように、接続片を外側に傾斜した構成として、基端部分を外側に凸状に湾曲させた湾曲部１２３ａを設けてもよい。接続片をこのような形状とすることによって、基台１１と接続片１２ａ、１２ｂ、１２ｃ、１２ｄとを有する本体を樹脂形成する際、容易に型抜き製造することができる。
また、湾曲部１２３ａを設けることによって、接続片の先端の変位量を大きくさせることができる。また、湾曲部１２３ａによって、拡張部２３１と接続片１２ａとの接触を避けるように構成することができ、拡張部２３１がある底部２３と、拡張部２３１がない底部２３のいずれの底部２３にも、装着を可能とすることができる。なお、接続片の数は、４つに限らず、１つ〜３つ又は５つ以上であってもよい。接続片の幅は、設けられる接続片の数に応じて調節され、接続片の数が多くなれば、幅は狭くする。接続片が１つ場合には、基台１１周端の略半分の長さと略同じ長さに設定する。
【００３２】
本発明の第２の実施形態について、図７に基づいて詳説する。ゴルフバック用キャリー１は、基台１５０の周端部に沿って設けられた円筒部１５１を有し、円筒部１５１の内側に、ゴルフバッグ底部２３を収容する収容部１５２を形成している。円筒部１５１の内法は、最も大きなサイズのゴルフバッグ底部２３の外径よりも少し大きく構成されており、どのようなサイズのゴルフバッグ底部２３も収容できる構成となっている。
【００３３】
円筒部１５１には、周方向に等間隔で複数の（この実施形態では３つ）ネジ孔１５１ａ、１５１ｂ、１５１ｃが、円筒部１５１の中心方向に向けて形成されている。この各ネジ孔１５１ａ、１５１ｂ、１５１ｃには、締着ネジ１５２ａ、１５２ｂ、１５２ｃが螺合させられている。また、基台１５０の下側面には、第１の実施形態と同様に、キャスター１３ａ、１３ｂ、１３ｃ、１３ｄが周方向等間隔に設けられている。
【００３４】
収容部１５２内にゴルフバッグ底部２３を収容し、締着ネジ１５２ａ、１５２ｂ、１５２ｃをそれぞれねじ込んでいくと、締着ネジ１５２ａ、１５２ｂ、１５２ｃの先端が、すべて底部２３の側面に当接し、ゴルフバッグ用キャリー１の装着が完了する。各締着ネジ１５２ａ、１５２ｂ、１５２ｃの挿入量を調節することによって、大きさや形状の異なる底部２３に本発明のゴルフバッグ用キャリー１を取り付けることが可能となる。この実施形態では、固定手段は、収容部１５２と、各ネジ孔１５１ａ、１５１ｂ、１５１ｃと、締着ネジ１５２ａ、１５２ｂ、１５２ｃとで構成される。
【００３５】
本発明の第３の実施形態について、図８及び図９に基づいて詳説する。ゴルフバック用キャリー１は、基台１６０の周端部に沿って設けられた円筒部１６１を有し、円筒部１６１の内側に、ゴルフバッグ底部２３を収容する収容部１６２を形成している。円筒部１６１の内法は、最も大きなサイズのゴルフバッグ底部２３の外径よりも少し大きく構成されており、どのようなサイズのゴルフバッグ底部２３も収容部１６２内に収容できる構成となっている。
【００３６】
収容部１６２内には、円筒部１６１の内壁に近い位置に、２つの揺動軸１６３ａ、１６３ｂがそれぞれ対向する位置に立設され、各揺動軸１６３ａ、１６３ｂには、接触保持片１６４ａ、１６４ｂの基端部が揺動自在に支持されている。接触保持片１６４ａ、１６４ｂは、円筒部１６１の内壁の湾曲に沿って湾曲した形状に構成されており、湾曲した内側面が、収容するゴルフバッグ底部２３の湾曲した側面に面接触する構成となっている。円筒部１６１において、接触保持片１６４ａ、１６４ｂの先端部に対向する位置には、ネジ穴１６６ａ、１６６ｂが設けられ、各ネジ穴１６６ａ、１６６ｂには、調整部材であるネジ１６５ａ、１６５ｂが外側から螺号する。ネジ１６５ａ、１６５ｂの各先端は、接触保持片１６４ａ、１６４ｂの各先端部に、外側から当接する。
【００３７】
収容部１６２内に、ゴルフバッグ底部２３を収容し、ネジ１６５ａ、１６５ｂを螺入することによって、図９に示されているように、接触保持片１６４ａ、１６４ｂは内側に揺動し、底部２３を挟み込むようにして保持する。
基台１６０の下側面には、第１の実施形態と同様に、キャスター１３ａ、１３ｂ、１３ｃ、１３ｄが装着されている。この実施形態では、接触保持片は２つ設けられていたが、２つ以上であってもよく、１つでもよい。１つの場合には、接触保持片と、その接触保持片に対向する円筒部１６１の内壁との間で、底部２３を挟み込む構成となる。この実施形態では、固定手段は、円筒部１６１と、揺動軸１６３ａ、１６３ｂ、接触保持片１６４ａ、１６４ｂと、ネジ穴１６６ａ、１６６ｂと、ネジ１６５ａ、１６５ｂとで構成される。
【００３８】
本発明の第４の実施形態について、図１０に基づいて詳説する。ゴルフバック用キャリー１は、円盤形状の基台１７と、４つのキャスター１３ａ、１３ｂ、１３ｃ、１３ｄと、固定ネジ１７３を有している。円盤形状の基台１７は、ゴルフバッグ底部２３の底面の大きさと同程度の大きさであり、基台１７の上側面には、図示されていないが、ゴルフバッグ底部２３の底部に形成されている凸部２３２が嵌められる凹部が形成されている。
【００３９】
また、基台１７の中心部には、固定ネジ１７３が挿通する孔１７１が形成されている。ゴルフバッグ底部２３の底面中央には、固定ネジ１７３が螺合するネジ孔２３１が形成されている。固定ネジ１７３を孔１７１を挿通させて、ネジ孔２３１に螺合させると、基台１７は、ゴルフバッグ底部２３に固定される。また、基台１７の上面に設けられた凹部と、ゴルフバッグ底部２３の底面に形成されている凸部２３２との嵌め合いによって、基台１７は、底部２３に対して回転することなく、確実に固定される。基台１７の上面に形成される凹部は、なくてもよい。
【００４０】
基台１７の下側面には、第１の実施形態と同様のキャスター１３ａ、１３ｂ、１３ｃ、１３ｄが取り付けられている。ネジ孔２３１と、孔１７１は、中心に設けられていなくとも良いが、中心に設けることによって、底部２３の大きさや形状に関わりなく、本発明のゴルフバック用キャリー１を取り付けることができる。この実施形態の固定手段は、ネジ穴２３１と、固定ネジ１７３で構成される。
なお、上記各実施形態において、キャスターの数は４つであるが、３つ又は５つ以上であってもよい。
【符号の説明】
【００４１】
１  ゴルフバック用キャリー
２  ゴルフバッグ
２３  ゴルフバッグ底部
１１、１５０、１６０、１７  基台
１２ａ〜ｄ  接続片
１３２ａ〜ｄ  接地ローラ
１３１ａ〜ｄ  回動脚部材
１３ａ〜ｄ  キャスター
１４  ベルト
【図１】
2020080907.tif 000003
【図２】
2020080907.tif 000004
【図３】
2020080907.tif 000005
【図４】
2020080907.tif 000006
【図５】
2020080907.tif 000007
【図６】
2020080907.tif 000008
【図７】
2020080907.tif 000009
【図８】
2020080907.tif 000010
【図９】
2020080907.tif 000011
【図１０】
2020080907.tif 000012